(57)【要約】 【課題】封印を確実にして、不正行為を容易に発見でき、且つかしめ部材の不使用時の待機空間を必要としない遊技機の基板ケースを提供する。【解決手段】蓋体２と、該蓋体が前方にスライドして装着される底体１とを有する遊技機の基板ケースにおいて、蓋体２の一端には、スライド方向前方に向けて突出した一対の係止爪４２を有する係止部４を複数設けたうえに、底体１の一端には、前記係止爪４２が差し込まれる封止室６を複数設けて、この封止室６にかしめ部材５を前後方向にスライド不能にして且つ係止爪４２と係合可能に嵌め込むとともに、かしめ部材５を不使用時にはかしめ部材５を前後反転させて係止爪４２と非係合となる状態で封止室６に嵌め込むようにした。【選択図】  図２
2011115416.tif 000002
【特許請求の範囲】
【請求項１】
蓋体と、該蓋体が前方にスライドして装着される底体とを有する遊技機の基板ケースにおいて、
蓋体又は底体の一端には、スライド方向前方に向けて突出した一対の係止爪を有する係止部を複数設けたうえに、
底体又は蓋体の一端には、前記係止爪が差し込まれる封止室を複数設けて、この封止室にかしめ部材を前後方向にスライド不能にして且つ係止爪と係合可能にして嵌め込むとともに、かしめ部材を不使用時にはかしめ部材を前後反転させて係止爪と非係合となる状態で封止室に嵌め込むようにしたことを特徴とする遊技機の基板ケース。
【請求項２】
かしめ部材には、使用時に係止爪に係合する段差部を設けて、かしめ部材が前後反転された不使用時には前記段差部を係止爪と非係合としたことを特徴とする請求項１に記載の遊技機の基板ケース。
【請求項３】
係止爪を、スライド方向前方に突出した一対の係止爪の先端に外向きの突起を有するものとし、かしめ部材には前記突起と係合する段差部を２個所設けたうえに、かしめ部材には、前記突起が段差部に係止されたときに一対の係止爪の間に介入して突起と段差部との係合解除を不可能とする割り込み片を設けたことを特徴とする請求項１又は２に記載の遊技機の基板ケース。
【発明の詳細な説明】
【技術分野】
【０００１】
本発明は、回路基板を開封不能に収納するための遊技機の基板ケースに関するものである。
【背景技術】
【０００２】
遊技機であるパチンコ機においては、入賞確率が書き込まれたＲＯＭチップ等の電子部品を実装した回路基板が使われており、これら回路基板は、底体と、当該底体に合体される蓋体とからなる基板ケースに収納されている。基板ケースには、ＲＯＭチップを交換して不正に利益を得んとする行為を防止するために蓋体を開放不能に節するための封止構造が設けられている。
【０００３】
従来の封止構造を備えた基板ケースとして、例えば特許文献１に記載されたものが知られている。当該基板ケースは、ワンウエイタイプのネジからなる封印ビスによって蓋を開けることが不可能なように封止し、開封部を切断することで封止を解除可能とする封印部を備えたものである。これら封印部は複数個設けられており、その個数分だけ開封してＲＯＭが改造されていないかどうかの検査を行った後に再度封止が可能な構造になっている。
【０００４】
しかしながら、ワンウエイタイプのネジを用いた封止構造は、ドライバーの先端に接着剤を塗布してネジと接着することでネジを緩めたり、ネジをドリルで破壊したりして基板ケースを開封することが可能であるため、封印の確実性において問題があった。また、これらのような方法で開封し内部のＲＯＭチップを交換した後に再度ネジ締めされると、一見しただけでは不正行為が働かれたことの判別ができないという問題もあった。
【０００５】
また、特許文献２には、蓋体と、該蓋体がスライド嵌着される底体とを有する遊技機の基板ケースにおいて、該底体の一端に、複数個のかしめ部材がそれぞれ着脱可能に取り付けられる取付け部を設け、該蓋体の一端に、該蓋体を該底体にスライド嵌着したときに該かしめ部材に嵌合して係止される係止部を設け、該かしめ部材には、第一係止爪と、第一係止部分とを設け、該蓋体の係止部には、該第一係止爪が係止する第二係止部分と、該第一係止部分に係止する第二係止爪とを設けた基板ケースが記載されている。
【０００６】
しかしながら、上記特許文献２におけるものにおいては、かしめ部材を不使用時には、特許文献２の図４に示されているように、かしめ部材が係止部に係合しないように前方にずらして取付け部に装着されるために、ずらし用の待機空間を設ける必要が有って、その分基板ケースの設置スペースが大きくなるという問題がある。大型化する役物の設置に対応するためには、基板ケースの設置スペースは少しでも狭いものであることが求められている。
【先行技術文献】
【特許文献】
【０００７】
【特許文献１】特開平１０―２１６３２４号公報      （図６）
【特許文献２】特開２００６−１５８８５４号公報    （図４）
【発明の概要】
【発明が解決しようとする課題】
【０００８】
本発明は、上記した従来の問題点に鑑み、封印を確実にして、不正行為を容易に発見でき、且つかしめ部材を不使用時の待機空間を必要としない遊技機の基板ケースを提供することを課題とする。
【課題を解決するための手段】
【０００９】
上記の課題を解決するためになされた本発明に係る遊技機の基板ケースは、蓋体と、該蓋体が前方にスライドして装着される底体とを有する遊技機の基板ケースにおいて、
蓋体又は底体の一端には、スライド方向前方に向けて突出した一対の係止爪を有する係止部を複数設けたうえに、
底体又は蓋体の一端には、前記係止爪が差し込まれる封止室を複数設けて、この封止室にかしめ部材を前後方向にスライド不能にして且つ係止爪と係合可能にして嵌め込むとともに、かしめ部材を不使用時にはかしめ部材を前後反転させて係止爪と非係合となる状態で封止室に嵌め込むようにしたことを特徴とするものである。
【００１０】
上記した発明において、かしめ部材には、使用時に係止爪に係合する段差部を設けて、かしめ部材が前後反転された不使用時には前記段差部を係止爪と非係合とすることができる。また、係止爪を、スライド方向前方に突出した一対の係止爪の先端に外向きの突起を有するものとし、かしめ部材には前記突起と係合する段差部を２個所設けたうえに、かしめ部材には、前記突起が段差部に係止されたときに一対の係止爪の間に介入して突起と段差部との係合解除を不可能とする割り込み片を設けることができる。
【発明の効果】
【００１１】
請求項１に係る本発明の遊技機の基板ケースは、かしめ部材を前後反転させて係止爪と係脱させるようにしたので、かしめ部材を前方にずらして非係合とするための待機区間を必要とせず、その分基板ケースの設置のためのスペースを狭くできるという利点がある。
請求項２に係る発明は、かしめ部材に係脱可能な段差部を設けたので、かしめ部材を不使用時にはかしめ部材を前後反転させて封止室に装着することにより、係止爪と段差部とを非係合とすることができる。
請求項３に係る発明は、封止時に二本の係止爪の間に割り込み片を介入させることにより、係止爪の内方への押圧が不可能となって、係止爪と段差部との係合解除を不可能として基板ケースを確実に封印することができる。
【図面の簡単な説明】
【００１２】
【図１】本発明の基板ケースの概略構成を示す斜視図である。
【図２】使用状態の係止部を垂直に切断して示す基板ケースの斜視図である。
【図３】係止部を水平に切断して示す基板ケースの斜視図である。
【図４】底体を裏返して示す斜視図である。
【図５】使用状態の係止部を拡大して示す斜視図である。
【図６】不使用状態の係止部を拡大して示す斜視図である。
【発明を実施するための形態】
【００１３】
以下に、本発明の実施形態に付いて説明する。
図１〜３は、本発明に係る遊技機の基板ケースを示す図であって、１は底体、２は前方に（図１では左方に）スライドして底体１に合体される蓋体、３は封止部である。図１において封止部３は二つ設けられている。封止部３は、封止室６内に係止部４とかしめ部材５とを備えている。
【００１４】
係止部４は、垂直な基板４１と、基板４１から前方に突出した一対の係止爪４２と、差し込み用のガイド板４３とを有している。係止爪４２は先端に外側向きの突起４４を有している（図３）。
【００１５】
かしめ部材５は、底部５１と上部５２と、底部５１と上部５２との間の垂直な支柱５３とからなる。支柱５３はかしめ部材５の一側に立設されており、そのコーナー部が係止爪４２の突起４４と係合する段差部５４となっている（図５）。また、上部５には、下向きに延設された割り込み片５５が設けられている。
【００１６】
図４は、底体１を裏返して示す図であって、６は封止室である。封止室６は底部が開放されており、この封止室６の中に、底部の開口からかしめ部材５が挿入される。封止室６は係止爪４２が差し込まれる挿通孔６１と、かしめ部材５を前後方向にスライド不能に装着するためのガイド棒６２を備えている。
【００１７】
以上のように構成されたものにおいて、基板ケースを封印する場合には、支柱５３を係止爪４２側として封止室６に装着したうえに、蓋体２を前方にスライドさせて挿通孔６１から封止室６内に係止爪４２を差し込む。これによって、図３の係止爪４２ａのごとく突起４４の首下（突起４４の裏側）が段差部５４と係合するので、係止部４の封止室６からの抜け出しが不可能となって、基板ケースを開放不能に封止することができる。
【００１８】
封止状態においては、図５に示すように、割り込み片５５が一対の係止爪４２の間に割り込むので、不正行為によって係止爪４２が内方に押圧されたときにも係止爪４２が撓むことがないので、不正開放を防止することができる。割り込み片５５は弾性を有しており、封印するときに係止爪４２によって上側に曲げられやすいように挿入方向に対して斜めとなっている。割り込み片５５の幅は、一対の係止爪４２の内側寸法以下、突起４４と段差部５４との係合が外れない幅以上とする必要がある。割り込み片５５の幅が、一対の係止爪４２の内側寸法を超える場合には、係止爪４２の間に入り込むことができない。一方、突起４４と段差部５４との係合が外れない幅未満では、割り込み片５５としての機能を発揮することができないからである。
【００１９】
基板ケースおよびかしめ部材５は、透明または半透明の樹脂でできているため、下方から不正がなされた場合でもその痕跡を発見することができる。基板ケースの材質としてポリカーボネートが一般に使用されるが、ポリカーボネートは伸びに強いため、ガイド板４３の先端を下方に曲げると、かしめ部材５が係止部４に係止されたまま係止部４と  封止室６とが上下に引き離されて、基板ケースを開封することが可能となってしまう。そこで、ガイド板４３の両側端４５を封止室６の内側両側端６３に係合させて、係止部４と封止室６とを上下に引き離すことができないように構成してある。
【００２０】
かしめ部材５を使用しないときは、図６のように、図５の状態とは前後方向を反転して封止室６に嵌め込む。これによって、図３に示すように、係止爪４２ｂの突起４４と段差部５４とが非係合となるので、使用時まで待機させることができる。本願発明のかしめ部材５は、前後方向に反転させるだけで、係止爪４２と係脱させることができるので、かしめ部材５を前方にずらして係止爪４２と非係合とするようなものと比較して、待機のための空間を必要としない。よって、特別な待機空間を必要としないという有利な効果が存在する。また、不正が働かれた場合には、封止室６に工具などの痕跡が残るので、不正行為を容易に発見することができる。
【符号の説明】
【００２１】
１  底体、２  蓋体、４  係止部、５  かしめ部材、６  封止室、４２  係止爪、
【図１】
2011115416.tif 000003
【図２】
2011115416.tif 000004
【図３】
2011115416.tif 000005
【図４】
2011115416.tif 000006
【図５】
2011115416.tif 000007
【図６】
2011115416.tif 000008